(57)【要約】【課題】充電台を使用しない時には給電端子部が卓上ホルダ内に収納されることにより安全性が確保でき、且つ卓上ホルダの長さを短くできるようにした携帯機器用充電台を提供する。【解決手段】携帯電話機が装着可能な装着凹部２３を有する卓上ホルダ２２と、装着凹部２３の側面より内方に突出し且つ突出方向に沿って移動可能な突出部３０と、突出部３０の移動によって装着凹部２３の端面より内方に突出可能な給電端子部２７とを有する携帯機器用充電台であって、携帯電話機が装着凹部２３に装着されると、携帯電話機に形成された溝部に突出部３０が係合すると共に装着凹部２３の外方に移動され、突出部３０の外方移動に伴い給電端子部２７が卓上ホルダ２２内から装着凹部２３端面より内方に突出して携帯電話機の充電用端子と電気的に接続するよう構成する。する。【選択図】図２
2005245048.tif 000002
【特許請求の範囲】
【請求項１】
携帯機器が装着可能な装着凹部を有する卓上ホルダと、前記装着凹部の側面より内方に突出し且つ突出方向に沿って移動可能な突出部と、該突出部の移動によって前記装着凹部の端面より内方に突出可能な給電端子部とを有する携帯機器用充電台であって、携帯機器が前記装着凹部に装着されると、携帯機器に形成された溝部に前記突出部が係合すると共に装着凹部の外方に移動され、前記突出部の外方移動に伴い前記給電端子部が前記卓上ホルダ内から前記装着凹部端面より内方に突出して携帯機器の充電用端子と電気的に接続するよう構成したことを特徴とする携帯機器用充電台。
【請求項２】
前記卓上ホルダの装着凹部の底部に、携帯機器の下面に形成した位置決め凹部に係合可能な位置決め突部を備えたことを特徴とする請求項１に記載の携帯機器用充電台。
【発明の詳細な説明】
【技術分野】
【０００１】
本発明は移動通信機やＰＤＡ（Personal Digital Assistant）等の携帯機器に備える電池を充電するための携帯機器用充電台に関するものである。
【背景技術】
【０００２】
一般に、携帯電話機やＰＨＳ等の移動通信機、ＰＤＡ（Personal Digital Assistant）或いは有線方式の電話機に付属するコードレス子機のような携帯機器には、送受信に必要な電力を得るための電池が内蔵されており、充電台によって定期的に充電を行う必要がある。
【０００３】
斯かる携帯機器の充電台としては、従来より、例えば図５及び図６に示すようなものが存在している。これは、上面に携帯機器としての携帯電話機１を装着できる収容空間２が形成された卓上ホルダ３と、該卓上ホルダ３内に配設された基板４と、前記卓上ホルダ３の収容空間２内へ突出し携帯電話機１の充電用端子５が当接可能となるよう前記基板４に半田等で取り付けられた給電端子部６と、給電用の接続プラグ７が接続されるよう前記基板４に半田等で取り付けられたコネクタ８と、前記卓上ホルダ３の前記給電端子部６とは反対側に備えて収容空間２内へ突出し且つ携帯電話機１の係合溝９に係合する爪部１０とを備えてなる構成を有している。
【０００４】
前記卓上ホルダ３は、上ケース３ａと下ケース３ｂとを一体に組み付けてなり、又、前記爪部１０は、上ケース３ａ内にピン１１を中心として回動自在となるよう枢支されたロックアーム１２の先端に一体に形成されており、該ロックアーム１２は、スプリング１３の付勢力により、図６中、前記ピン１１を中心に反時計方向へ回動する方向に付勢され、これにより、上ケース３ａの小孔１４から爪部１０が所要量だけ突出するようになっている。
【０００５】
一方、前記接続プラグ７は、給電用コンセント（図示せず）に接続されるＡＣ金属端子１５を有し且つ交流電流を所定電圧値の直流電流に変換するＡＣアダプタ１６に対し、アダプタコード１７を介して接続されており、前記卓上ホルダ３の上ケース３ａに穿設された挿入孔１８から前記コネクタ８に対し、着脱自在に接続されるようになっている。
【０００６】
又、前記卓上ホルダ３の下ケース３ｂの底面における四隅部には、ゴム等の弾性部材からなる足片１９を、両面テープ又は接着剤等で貼り付けてあり、机やテーブル等への卓上ホルダ３の設置時にそれ自体の安定化を図ると共に、机やテーブル等の表面に傷がついたりすることを防止するようになっている。
【０００７】
尚、図５及び図６中、２０は卓上ホルダ３の上ケース３ａにおける収容空間２内面側に突設されたリブであり、収容空間２に携帯電話機１を装着した際、該携帯電話機１の溝部２１にリブ２０が係合するようになっている。
【０００８】
前記携帯電話機１の充電を行う際には、アダプタコード１７の接続プラグ７を卓上ホルダ３の上ケース３ａに穿設された挿入孔１８からコネクタ８に接続し且つＡＣアダプタ１６のＡＣ金属端子１５を給電用コンセントに接続した状態で、卓上ホルダ３の上ケース３ａの収容空間２に携帯電話機１を嵌め込むようにすると、給電端子部６に携帯電話機１の充電用端子５が当接し、且つ携帯電話機１の溝部２１にリブ２０が係合すると共に、上ケース３ａの小孔１４から所要量だけ突出している爪部１０が、スプリング１３の付勢力に抗して小孔１４内に一旦押し込まれ、これにより、携帯電話機１の収容空間２内への挿入が許容され、該携帯電話機１が所定の位置まで挿入されると、爪部１０が前記スプリング１３の付勢力により上ケース３ａの小孔１４から再び所要量だけ突出し携帯電話機１の係合溝９に係合し、携帯電話機１が収容空間２から簡単には抜けないようになり、この状態で、携帯電話機１に内蔵された電池への充電が行われる。
【０００９】
充電完了後には、携帯電話機１を卓上ホルダ３から多少力を入れて持ち上げるようにすると、携帯電話機１の係合溝９に係合している爪部１０が、スプリング１３の付勢力に抗して小孔１４内に一旦押し込まれ、これにより、携帯電話機１の収容空間２内からの離脱が許容され、該携帯電話機１が卓上ホルダ３から取り外される。
【００１０】
しかしながら、前述の如き従来の携帯機器用充電台では、卓上ホルダ３への携帯電話機１の装着時に該携帯電話機１を固定するためのロック機構として、ロックアーム１２やスプリング１３等の部品が必要となっているため、部品点数並びに組み付け工数が増加し、コストアップにつながっていた。又、給電端子部６とコネクタ８とが取り付けられた基板４の面積が大きくなっていると共に、コネクタ８に対する接続プラグ７の接続時には、該接続プラグ７が卓上ホルダ３の外側に突出する形となるため、設置スペースが広く必要となり、改善の余地が残されていた。
【００１１】
この問題に対処するため、卓上ホルダの構造を簡略化し且つ部品点数削減並びに組み付け工数削減によってコストダウンを図るようにしたものがある（例えば、特許文献１参照）。
【特許文献１】特開２００３−０５１８７５号公報
【発明の開示】
【発明が解決しようとする課題】
【００１２】
しかし、前記図５、図６及び特許文献１に示される充電台は、いずれも使用されない時に給電端子部６が常に収容空間２内に露出する構造となっているために、露出した給電端子部６にユーザが手を触れると感電する虞れがあり、また露出した給電端子部６に金属部材が接触すると短絡を招く虞れがあった。
【００１３】
また、前記図５、図６及び特許文献１に示される充電台は、何れも携帯電話機の長さ全体を卓上ホルダ３で保持して充電を行う構成であるために、卓上ホルダ３が携帯電話機１よりも長い長さを有し、大型の形状であるために携行には不向きであるという問題を有していた。
【００１４】
本発明は、上記実情に鑑みてなしたもので、充電台を使用しない時には給電端子部が卓上ホルダ内に収納されることにより安全性が確保でき、且つ卓上ホルダの長さを短くできる携帯機器用充電台を提供することを目的としてなしたものである。
【課題を解決するための手段】
【００１５】
以上の目的を達成するために、本発明の携帯機器用充電台は、携帯機器が装着可能な装着凹部を有する卓上ホルダと、前記装着凹部の側面より内方に突出し且つ突出方向に沿って移動可能な突出部と、該突出部の移動によって前記装着凹部の端面より内方に突出可能な給電端子部とを有する携帯機器用充電台であって、携帯機器が前記装着凹部に装着されると、携帯機器に形成された溝部に前記突出部が係合すると共に装着凹部の外方に移動され、前記突出部の外方移動に伴い前記給電端子部が前記卓上ホルダ内から前記装着凹部端面より内方に突出して携帯機器の充電用端子と電気的に接続するよう構成したことを特徴とする。
【００１６】
また、本発明の携帯機器用充電台は、前記卓上ホルダの装着凹部の底部に、携帯機器の下面に形成した位置決め凹部に係合可能な位置決め突部を備えていることが好ましい。
【発明の効果】
【００１７】
本発明の携帯機器用充電台によれば、携帯機器が装着されない非充電時に給電端子部が卓上ホルダ内に収納されているので、感電や短絡といった問題の発生を防止して安全性が高められる効果がある。
【００１８】
また、突出部は給電端子部を突出させるためのスイッチとしての機能を有すると共に、携帯機器を保持するための保持部材としての機能も有するため、給電端子部と携帯機器の保持部材とを一端に集約することができ、よって卓上ホルダの長さを短くすることができる。従って、充電台が小型化して持ち運びが容易になり、利便性を向上できる効果がある。
【発明を実施するための最良の形態】
【００１９】
以下、本発明の実施の形態を添付図面を参照して説明する。
【００２０】
図１は本発明の携帯機器用充電台の形態の一例を示す外観斜視図、図２は図１の携帯機器用充電台の内部構造を透視して示した斜視図、図３は図２の内部構造を取出して示した斜視図、図４は携帯機器用充電台に携帯機器である携帯電話機を装着した状態を透視して示した側面図である。尚、図１〜図４中、図５、図６と同一の符号を付した部分は同一の構成部材を表わしており、詳細な説明は省略する。
【００２１】
図１、図２において２２は卓上ホルダであり、該卓上ホルダ２２は、底部２３ａと、左右の側壁２３ｂと、該側壁２３ｂに連続して端部に形成した左右の端部壁２３ｃとによる装着凹部２３を備えており、該装着凹部２３に携帯機器としての携帯電話機１の一端部を嵌合装着して保持するようになっている。前記卓上ホルダ２２は図４に示す如く、携帯電話機１の一端に備えている充電用端子５側の一部を装着凹部２３で保持するよう携帯電話機１より短い長さで形成されている。
【００２２】
前記装着凹部２３の左右の側壁２３ｂの内面には、図４に示す如く携帯電話機１の左右側面に形成した溝部２１と一致する位置に移動用開口２４が形成してあり、また、前記左右の端部壁２３ｃの内面における携帯電話機１の端部に備えられた充電用端子５と一致する位置には、縦長の端子用開口２５が形成されている。
【００２３】
前記卓上ホルダ２２の底部２３ａ内部には、左右に長い基板２６が設けてあり、該基板２６における前記左右の端部壁２３ｃの間には給電用の接続プラグ７が固定されており、該接続プラグ７を介して前記基板２６が図示しないＡＣアダプタを介して電源に接続されるようなっている。
【００２４】
また、前記基板２６上の左右２箇所には、線状のバネ材にて構成した給電端子部２７が左右の端子用開口２５に対応して固定してあり、前記給電端子部２７はそのバネ力によって端子用開口２５から装着凹部２３内に突出すように付勢されている。
【００２５】
前記左右の側壁２３ｂの夫々の内部には、端部壁２３ｃ寄りの位置に設けた支点ピン２８を中心に水平回動可能な回動部材２９が設けてあり、該回動部材２９の先端には前記移動用開口２４を通して装着凹部２３内に突出可能な突出部３０が形成してあり、該突出部３０の後方には、該突出部３０を常時装着凹部２３内に突出させるように回動部材２９の回動を付勢する押圧バネ３１が設けてある。
【００２６】
また、前記回動部材２９の支点ピン２８側の基端部には給電端子部２７の装着凹部２３側に当接する押圧アーム３２が形成されており、前記押圧バネ３１の押圧力によって突出部３０が装着凹部２３内に突出している時は、前記押圧アーム３２は給電端子部２７を装着凹部２３の外方に押しており、これにより該給電端子部２７は端部壁２３ｃの内部に引込まれた状態に収容され、端子用開口２５からは突出しないようになっている。即ち、回動部材２９はテコの原理によって、給電端子部２７が自身のバネ力によって装着凹部２３内に突出しようとする力よりも押圧バネ３１によって回動部材２９が回動して押圧アーム３２により給電端子部２７を端部壁２３ｃ内に押し戻す力の方が大きくなるように設定されている。
【００２７】
一方、前記卓上ホルダ２２の装着凹部２３に携帯電話機１を装着すると、携帯電話機１の左右側面に形成された溝部２１に前記突出部３０が係合する。更にこの時、携帯電話機１の左右側面に形成されている溝部２１は、携帯電話機１の充電用端子５側の一端部から他端部に向かって左右に広がるように湾曲した形状を有しているために、前記突出部３０は溝部２１の湾曲形状によって左右外方に押されて移動用開口２４に押し込められるように移動する。この突出部３０の外方移動により回動部材２９は支点ピン２８を中心に回転し、押圧アーム３２が装着凹部２３側に移動することにより、前記給電端子部２７は自身のバネ力によって前記端子用開口２５から装着凹部２３内に突出し、携帯電話機１の充電用端子５と電気的に接続されて充電が行われるようになっている。
【００２８】
一方、前記卓上ホルダ２２の装着凹部２３に、図２のＸ方向から携帯電話機１を差込むようにして装着すると、携帯電話機１の左右側面に形成された溝部２１に前記突出部３０が係合する。更にこの時、携帯電話機１は充電用端子５が設けられている一端部側に向かって左右側面が先細り形状に湾曲しており、従って、前記携帯電話機１の左右側面に設けられた溝部２１も湾曲した側面に沿って湾曲している。従って、図２のＸ方向に更に携帯電話機１を差込むと、湾曲した溝部２１によって前記突出部３０が移動用開口２４に押し込まれるように左右外方に移動される。この突出部３０の外方移動によって回動部材２９は支点ピン２８を中心に回転し、これによって前記押圧アーム３２が装着凹部２３側に回動するので、前記給電端子部２７は自身のバネ力によって前記端子用開口２５から装着凹部２３に突出し、携帯電話機１の充電用端子５に電気的に接続されるようになっている。
【００２９】
更に、卓上ホルダ２２の装着凹部２３の底部２３ａには、携帯電話機１の下面に形成した位置決め凹部３３に係合する位置決め突部３４を設けている。従って、携帯電話機１を卓上ホルダ２２の装着凹部２３に装着した際に、卓上ホルダ２２の位置決め突部３４が携帯電話機１の位置決め凹部３３に係合することによって携帯電話機１の長手方向（図４の左右方向）の位置決めが確実に行われるようになっている。
【００３０】
尚、図示例では、前記装着凹部２３の底部２３ａが卓上ホルダ２２の底面と平行（水平）に形成された場合について例示したが、例えば端部壁２３ｃ側が高く反端部壁側が低くなるようにした傾斜形状としてもよい。また、装着凹部２３の底部２３ａを端部壁２３ｃ側が低く反端部壁側が高い傾斜形状にすれば、装着凹部２３に装着した携帯電話機１が充電状態から抜け出すのを確実に防止することができて好適である。
【００３１】
次に、上記図示例の作動を説明する。
【００３２】
卓上ホルダ２２は、使用しない非充電時には、回動部材２９の突出部３０は押圧バネ３１の押圧力によって図３の矢印Ａ方向に移動して移動用開口２４から装着凹部２３内に突出し、この時押圧アーム３２は矢印Ａ’方向に回動して給電端子部２７を装着凹部２３外方に押し込んでいる。従って、給電端子部２７は端部壁２３ｃの内部に収容された状態になっており、装着凹部２３には突出していない。
【００３３】
従って、非充電時に、ユーザが給電端子部２７に触れて感電したり、または給電端子部２７に金属部材が接触して短絡を招くといった問題を確実に防止することができる。
【００３４】
上記状態から、携帯電話機１の充電を行うには、図２のＸ方向から携帯電話機１を差込むようにして装着凹部２３に装着する。この時、携帯電話機１の側面に形成した溝部２１が前記突出部３０に係合する。更に、前記溝部２１は充電用端子５が設けられている側の一端部から他端側に向かって左右に広がるように湾曲した形状を有しているので、携帯電話機１を図２のＸ方向に更に差込むと、湾曲した溝部２１によって前記突出部３０は図３の矢印Ｂに示す如く移動用開口２４に押し込まれるように左右外方に移動する。この突出部３０の外方移動によって回動部材２９は支点ピン２８を中心に回動し、これに伴って前記押圧アーム３２が矢印Ｂ’で示す如く装着凹部２３側に回動するので、前記給電端子部２７は自身のバネ力によって前記端子用開口２５から装着凹部２３内に突出し、携帯電話機１の充電用端子５に電気的に接続されて充電が行われる。
【００３５】
この時、前記突出部３０が携帯電話機１の側面の溝部２１に係合することにより、卓上ホルダ２２に装着した携帯電話機１は上下方向の移動が拘束され、更に突出部３０が押圧バネ３１の押圧力によって溝部２１を押している摩擦力によって携帯電話機１は長手方向（図４の左右方向）の移動も簡単に抜け出さないように拘束している。
【００３６】
従って、装着凹部２３の長さを携帯電話機１の長さより短かくすることができ、これにより卓上ホルダ２２を小型化できると共に、携行も可能な大きさとすることもできる。
【００３７】
また、装着凹部２３の底部２３ａに設けた位置決め突部３４を、携帯電話機１の裏面に設けた位置決め凹部３３に係合させる構成を有することにより、装着凹部２３に装着した携帯電話機１の長手方向（図４の左右方向）の移動を確実に拘束することができる。
【００３８】
上記したように、回動部材２９の突出部３０は、給電端子部２７を突出させるためのスイッチとしての機能を有すると共に、携帯電話機１を保持するための保持部材としての機能も有するため、給電端子部２７と携帯電話機１の保持部材とを一端に集約することによって卓上ホルダ２２の長さ寸法を短縮することができる。従って、充電台を小型化できるので持ち運びが容易となり、利便性を向上することができる。
【００３９】
なお、本発明の携帯機器用充電台は、上記した実施の形態に限定されるものではなく、携帯電話機以外の種々の携帯機器の充電台としても利用できること、卓上ホルダの形状は種々変更し得ること、その他本発明の要旨を逸脱しない範囲内において種々変更を加え得ること、等は勿論である。
【図面の簡単な説明】
【００４０】
【図１】本発明の携帯機器用充電台の形態の一例を示す外観斜視図である。
【図２】図１の携帯機器用充電台の内部構造を透視して示した斜視図である。
【図３】図２の内部構造を取出して示した斜視図である。
【図４】携帯機器用充電台に携帯機器である携帯電話機を装着した状態を透視して示した側面図である。
【図５】従来例の斜視図である。
【図６】図５の側断面図である。
【符号の説明】
【００４１】
１  携帯電話機（携帯機器）
５  充電用端子
２１  溝部
２２  卓上ホルダ
２３  装着凹部
２３ｂ        側壁
２３ｃ        端部壁
２７  給電端子部
３０  突出部
３１  押圧バネ
３３  位置決め凹部
３４  位置決め突部
【図１】
2005245048.tif 000003
【図２】
2005245048.tif 000004
【図３】
2005245048.tif 000005
【図４】
2005245048.tif 000006
【図５】
2005245048.tif 000007
【図６】
2005245048.tif 000008